(57)【要約】【課題】端子のガタつきや端子抜けを確実に防止することができるコネクタを提供する。【解決手段】コネクタ１１は、メス端子１３を収容する端子収容室２７が形成されたハウジング１７と、ハウジング１７のスペーサ挿入口３５から組み込まれ、端子収容室２７へのメス端子１３の挿入を可能とする仮係止位置と抜け止めをする本係止位置とでハウジング１７に係止されるスペーサ１５と、を備える。スペーサ１５には、メス端子１３の導体圧着部５７に形成した係合突起８３に当接し、端子収容室２７の前方ストッパ部２９へメス端子１３を押し付ける押圧用当接部８１が設けられる。【選択図】図６
2014107234.tif 000002
【特許請求の範囲】
【請求項１】
端子を収容する端子収容室が形成されたハウジングと、
前記ハウジングの一側面に開口したスペーサ挿入口から組み込まれ、前記端子収容室への前記端子の挿入を可能とする仮係止位置と前記端子の抜け止めをする本係止位置とで前記ハウジングに係止されるスペーサと、を備えたコネクタであって、
前記スペーサには、前記スペーサ挿入口に臨んだ前記端子の導体圧着部に形成した係合突起に当接し、前記端子収容室の前方ストッパ部へ前記端子を押し付ける押圧用当接部が設けられることを特徴とするコネクタ。
【請求項２】
請求項１記載のコネクタであって、
前記押圧用当接部及び前記係合突起の少なくとも一方には、誘い込みテーパが形成されることを特徴とするコネクタ。
【発明の詳細な説明】
【技術分野】
【０００１】
本発明は、コネクタに関する。
【背景技術】
【０００２】
ハウジングの端子収容室（キャビティとも称す。）に挿入された端子（端子金具とも称す。）に対してランスを係止した端子一次係止状態に加え、ハウジングに装着するスペーサ（リテーナとも称す。）にて更に端子を係止して端子二次係止状態とし、端子保持の信頼性を高めるコネクタが知られている。
また、端子収容室内における端子のガタつきを防止して、端子の磨耗を防止するコネクタも提案されている（例えば、特許文献１参照）。
【０００３】
図７に示すこの種のコネクタ５０１は、ハウジング５０３にリテーナ５０５が仮係止位置となった状態で、端子金具５０７が端子収容室５０９へ挿入され、挿入された端子金具５０７がランス５１１によって一次係止される。この状態でリテーナ５０５を本係止位置へ移動させると、このリテーナ５０５の押圧部５１５が端子金具５０７の被押圧部５１３に対して後方から当接することでその端子金具５０７を正規挿入位置に保持してガタ付きを規制するものである。
【先行技術文献】
【特許文献】
【０００４】
【特許文献１】特開２００３−７３８９号公報
【発明の概要】
【発明が解決しようとする課題】
【０００５】
しかしながら、上述した従来のコネクタ５０１は、リテーナ５０５を本係止位置へ装着した時に、端子金具５０７の端子前部に設けた電気接触部をリテーナ５０５で押圧して前端面５０７Ｆをハウジング５０３の前止まり面（前方ストッパ部）５２０に突き当てることにより、ガタ付きを抑制するものであり、端子金具５０７の端子後部に接続された電線にハーネステンション等が作用して端子金具５０７に強い引張り力が加わった際には、電気接触部が端子収容室５０９内で上下左右方向に振られてしまい、ガタつきや端子抜けを生じる可能性があった。
【０００６】
本発明は上記状況に鑑みてなされたもので、その目的は、端子のガタつきや端子抜けを確実に防止することができるコネクタを提供することにある。
【課題を解決するための手段】
【０００７】
本発明に係る上記目的は、下記構成により達成される。
（１）  端子を収容する端子収容室が形成されたハウジングと、前記ハウジングの一側面に開口したスペーサ挿入口から組み込まれ、前記端子収容室への前記端子の挿入を可能とする仮係止位置と前記端子の抜け止めをする本係止位置とで前記ハウジングに係止されるスペーサと、を備えたコネクタであって、前記スペーサには、前記スペーサ挿入口に臨んだ前記端子の導体圧着部に形成した係合突起に当接し、前記端子収容室の前方ストッパ部へ前記端子を押し付ける押圧用当接部が設けられることを特徴とするコネクタ。
【０００８】
上記（１）の構成のコネクタによれば、端子が端子収容室に挿入され、スペーサ挿入口からハウジングに挿入されたスペーサが本係止位置となると、端子をスペーサが係止して抜け止めをする。このとき同時に、スペーサの押圧用当接部が端子の導体圧着部に形成された係合突起に当接する。端子は、係合突起が押圧用当接部によって押圧されることで、端子挿入方向へ付勢され、端子収容室の前側に設けられた前方ストッパ部に押し付けられる。これにより、端子は、ハウジングの前方ストッパ部とスペーサの押圧用当接部とによって端子挿入方向前後から挟み込まれた挟持状態となる。この挟持状態によって端子のガタつきが抑制される。
また、端子後部の導体圧着部がスペーサの押圧用当接部により押圧された端子は、電気接触部がスペーサに直接押圧されることはなく、電気接触状態の信頼性に影響を及ぼすことがない。また、端子後部の導体圧着部がスペーサの押圧用当接部により押圧されることで、端子後部に接続された電線にハーネステンション等が作用して端子に強い引張り力が加わった際にも、引張り力が端子の電気接触部には直接作用せず、電気接触部が端子収容室内で上下左右方向に振られことはない。更に、導体圧着部に形成される係合突起は、形状や大きさの自由度が高く、スペーサの押圧用当接部との掛かり代も安定する。
【０００９】
（２）  上記（１）の構成のコネクタであって、前記押圧用当接部及び前記係合突起の少なくとも一方には、誘い込みテーパが形成されることを特徴とするコネクタ。
【００１０】
上記（２）の構成のコネクタによれば、スペーサが本係止位置へ移動される際、端子に設けられた係合突起に、スペーサの押圧用当接部が当接することとなるが、この際、押圧用当接部及び係合突起の少なくとも一方に形成された徐々に接近する誘い込みテーパによって、押圧用当接部による端子への押圧付勢がスムースに行われる。
【発明の効果】
【００１１】
本発明に係るコネクタによれば、端子のガタつきや端子抜けを確実に防止することができる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の一実施形態に係るコネクタの分解斜視図である。
【図２】（ａ）はスペーサが仮係止位置のハウジングをスペーサ係止部で切り欠いた断面図及びその要部拡大図、（ｂ）はスペーサが本係止位置のハウジングをスペーサ係止部で切り欠いた断面図及びその要部拡大図である。
【図３】ハウジングとハウジングに装着前の端子との縦断面図及びその要部拡大図である。
【図４】スペーサが仮係止位置で端子が装着されたハウジングの縦断面図である。
【図５】端子の斜視図及びその要部拡大図である。
【図６】スペーサが本係止位置となったハウジングの縦断面図及びその要部拡大図である。
【図７】リテーナが本係止位置となった従来のコネクタの一部切欠部分拡大断面図である。
【発明を実施するための形態】
【００１４】
以下、本発明に係る実施形態を図面を参照して説明する。
図１〜図３に示すように、本発明の一実施形態に係るコネクタ１１は、端子であるメス端子１３を二次係止するためのスペーサ１５を備える。本実施形態において、コネクタ１１は、メス端子１３を装着するメスコネクタの場合を例に説明するが、オス端子を装着するオスコネクタであっても勿論よい。
【００１５】
コネクタ１１は、メス端子１３を収容する合成樹脂製のハウジング１７を有する。ハウジング１７は、ハウジング本体１９の前端側が不図示の相手コネクタのフード部に進入するフード進入部２１となる一方、後端側に端子装着開口部２３が形成される（図３参照）。フード進入部２１の先端面にはオス端子進入孔２５が開口される。本実施形態においてフード進入部２１が嵌合する相手コネクタは、オス端子を装着したオスコネクタとなる。
ハウジング本体１９には端子収容室２７が複数画成され、それぞれの端子収容室２７は前方がオス端子進入孔２５に通じ、後方が端子装着開口部２３に通じる。端子収容室２７は、オス端子進入孔２５が穿設されている前壁部内面側が、メス端子１３が当接する前方ストッパ部２９となる。
【００１６】
本実施形態において、端子収容室２７は、図２に示すように、左右２つが配設されている。ハウジング本体１９には、端子収容室２７へ突出する弾性係止片（所謂、ランス３１）がそれぞれの端子収容室２７に応じ一体に形成されている。
【００１７】
ハウジング本体１９の一側面３３（図３の下側の面）にはスペーサ挿入口３５が開口される。スペーサ挿入口３５は、ハウジング本体１９の下面側から端子収容室２７の内方に所定深さをもって凹設されており、スペーサ１５をハウジング本体１９の内方へ組み込み可能とする。
【００１８】
メス端子１３を端子収容室２７に係止するランス３１は、スペーサ挿入口３５を開口した端子収容室２７のスペーサ挿入開口側の側壁３７に設けられる。即ち、スペーサ１５の挿入方向と、ランス３１による端子付勢方向とは、同一方向となっている。
【００１９】
このスペーサ挿入口３５が形成されたハウジング本体１９の両側壁部には、下面側から上方向へ窪む係止側板挿入凹部３９が設けられている（図２参照）。係止側板挿入凹部３９の凹部内面には、第１係止受け部４１と第２係止受け部４３とがスペーサ挿入方向の手前側から順に突設されている。第１係止受け部４１は、スペーサ挿入方向の手前側がガイド斜面４５となり、その反対側が仮係止垂直面４７となる。第２係止受け部４３は、スペーサ挿入方向の手前側がガイド斜面４５となり、その反対側が本係止斜面４９となる。これら第１係止受け部４１及び第２係止受け部４３は、スペーサ１５を、仮係止位置及び本係止位置に保持するためのものである。
【００２０】
メス端子１３は、図５に示すように、端子前部に箱状の電気接触部５１を有し、電気接触部５１から後方に向けてランス係止部５３、段部５５、導体圧着部５７、外被固定部５９が順次連設されている。電気接触部５１は、端子収容室２７に配置され、コネクタ結合状態において、相手コネクタの進入するオス端子と接続される。ランス係止部５３は、メス端子１３が端子収容室２７の所定位置に挿入されることで、弾性復帰したランス３１に後方から当接され、メス端子１３の後方（図３の右方）抜けを規制する。
【００２１】
段部５５は、メス端子１３が正規位置に装着されると、図２（ｂ）に示す本係止位置となったスペーサ１５の端子二次係止部６３（図１、６参照）に対向して近接配置される。即ち、メス端子１３は、段部５５が端子二次係止部６３に当たって、後方への抜けが規制される二次係止状態となる。
端子後部の導体圧着部５７は、起立する圧着片６５を有し、圧着片６５が塑性変形されることにより電線導体６７と導通状態となって固定される。外被固定部５９は、加締め片を有し、加締め片が外被外周から電線６９に加締められることでメス端子１３を電線６９の端末に固定する。
【００２２】
矩形板状のスペーサ本体７１には、端子収容室２７の下側に配置可能となる上述した２つの端子二次係止部６３（図１参照）が設けられている。スペーサ１５は、本係止位置になると、この端子二次係止部６３がメス端子１３の段部５５に当たり（図６参照）、メス端子１３の後方への抜けを阻止する。
【００２３】
スペーサ本体７１の両側には、図１に示すように、係止側板７３が対面するように延設される。この係止側板７３の内側対向面の上端には係止爪７５（図２参照）が突設される。この係止爪７５は、スペーサ１５がスペーサ挿入口３５から挿入されると、第１係止受け部４１のガイド斜面４５に乗り上げた後、図２（ａ）に示すように、仮係止垂直面４７に係止されて、第１係止受け部４１と第２係止受け部４３との間に配置される。この状態が、スペーサ１５の仮係止位置となる。この仮係止位置において、端子二次係止部６３は、図３に示すように、端子収容室２７へ進入していない。スペーサ１５が更に挿入されると、係止爪７５は第２係止受け部４３のガイド斜面４５を乗り越えた後、図２（ｂ）に示す本係止斜面４９に係止される。この状態が、スペーサ１５の本係止状態である。スペーサ１５はこの本係止位置となることで、端子収容室２７に収容されたメス端子１３の段部５５に、端子二次係止部６３が対向配置された状態となる（図６参照）。
【００２４】
スペーサ１５は、ハウジング１７の一側面３３に開口したスペーサ挿入口３５から組み込まれ、端子収容室２７へのメス端子１３の挿入を可能とする仮係止位置と、メス端子１３の抜け止めをする本係止位置とでハウジング１７に係止される。スペーサ１５は、本係止位置では図６に示すように、後端部７９がスペーサ挿入口内に収容され、仮係止位置では図４に示すように、後端部７９がスペーサ挿入口３５から突出する。
【００２５】
更に、本実施形態のスペーサ１５には、図１及び図４に示すように、スペーサ本体７１の後方でスペーサ挿入方向に突出した押圧用当接部８１が一体に形成されている。この押圧用当接部８１は、メス端子１３の導体圧着部５７に形成される係合突起８３に当接される。
【００２６】
図５に示すように、係合突起８３は、メス端子１３の導体圧着部５７に形成され、導体圧着部５７において一対のものが起立して形成される。それぞれの係合突起８３は、表裏面が端子挿入方向の前後となるように起立する。この係合突起８３は、メス端子１３と一体に板金形成されることにより、バネ性を有する。即ち、起立先端が表裏方向に弾性変位可能となる。
そこで、メス端子１３がハウジング１７の端子収容室２７内に挿入された際にスペーサ挿入口３５に臨んで、スペーサ１５の押圧用当接部８１に当接される係合突起８３は、押圧用当接部８１によって押圧され、弾性変位する。つまり、係合突起８３は、押圧用当接部８１に弾性接触することになる。押圧用当接部８１は、係合突起８３に弾性接触し、端子収容室２７の前方ストッパ部２９へメス端子１３を弾性付勢した状態で押し付けることになる。
【００２７】
また、押圧用当接部８１及び係合突起８３の少なくとも一方（本実施形態では、押圧用当接部８１）には、誘い込みテーパ８５（図６参照）が形成される。上述したように、押圧用当接部８１と係合突起８３とは、弾性接触するので、当接初期状態には先端同士が重なり合った状態で当たる。このため、少なくとも一方の先端側に、誘い込みテーパ８５が設けられることで、先端同士が衝突する所謂どつきを回避してスムースな弾性接触へと移行させることが可能となる。
【００２８】
次に、上記構成を有するコネクタ１１の作用を説明する。
本実施形態に係るコネクタ１１では、図３に示すように、メス端子１３の装着前に、スペーサ１５がハウジング１７の仮係止位置に装着されている。この状態で、図４に示すように、メス端子１３がランス３１を弾性変位させながら端子収容室２７へ挿入されると、弾性変位したランス３１が弾性復帰してメス端子１３を係止する。これにより、メス端子１３はランス３１によって抜けが規制されて一次係止状態となる。全てのメス端子１３が装着されると、スペーサ１５が押し込まれ、スペーサ１５は図２（ｂ）に示した本係止位置となる。スペーサ１５の本係止位置では、図６に示すように、端子二次係止部６３がメス端子１３の段部５５に対向配置される。これにより、ランス３１に抜け止めされたメス端子１３は、更にスペーサ１５によって二重に抜け止めされて端子二次係止状態となる。
【００２９】
このとき同時に、スペーサ１５の押圧用当接部８１がメス端子１３の導体圧着部５７に形成された係合突起８３に当接する。メス端子１３は、係合突起８３が押圧用当接部８１によって端子挿入方向へ押圧付勢され、端子収容室２７の前側に設けられた前方ストッパ部２９に押し付けられる。これにより、メス端子１３は、ハウジング１７の前方ストッパ部２９とスペーサ１５の押圧用当接部８１とによって端子挿入方向前後から挟み込まれた挟持状態となる。
【００３０】
本来、メス端子１３とランス３１との間にはクリアランス（メス端子１３のランス係止を可能にするための端子挿入方向のオーバーストローク）によるガタつきが存在するが、本実施形態のコネクタ１１では、挿入されたスペーサ１５の押圧用当接部８１に、メス端子１３の係合突起８３が弾性接触することにより、係合突起８３の弾性復元力によって、メス端子１３は、前方ストッパ部２９に向けて付勢され、前方ストッパ部２９と押圧用当接部８１とによる所定の弾性挟持力で挟持状態となる。この挟持状態によって、メス端子１３はガタつきが抑制され、相手コネクタのオス端子に対する電気接触部５１の接触代も安定し、微摺動磨耗の発生もなく、且つ端子保持力も向上する。
【００３１】
また、端子後部の導体圧着部５７がスペーサ１５の押圧用当接部８１により押圧されたメス端子１３は、電気接触部５１がスペーサ１５に直接押圧されることはなく、電気接触状態の信頼性に影響を及ぼすことがない。また、端子後部の導体圧着部５７がスペーサ１５の押圧用当接部８１により押圧されることで、端子後部に接続された電線６９にハーネステンション等が作用してメス端子１３に強い引張り力が加わった際にも、引張り力がメス端子１３の電気接触部５１には直接作用せず、電気接触部５１が端子収容室２７内で上下左右方向に振られことはない。更に、導体圧着部５７に形成される係合突起８３は、形状や大きさの自由度が高く、スペーサ１５の押圧用当接部８１との掛かり代も安定する。
【００３２】
なお、挟持状態のメス端子１３は、ランス３１からオーバーストローク分離間されるが、強いハーネステンション等が電線６９に作用した場合には、オーバーストローク分、微少量後退することでランス３１に再び係止状態となる。これと同時に、メス端子１３の段部５５も、スペーサ１５の端子二次係止部６３に当たり、端子二次係止状態となる。本実施形態のコネクタ１１では、この端子二次係止状態においても、係合突起８３が押圧用当接部８１に当接した状態となっている。これにより、メス端子１３とランス３１、メス端子１３と端子二次係止部６３とによる係止に加え、係合突起８３と押圧用当接部８１とによる係止も追加され、係止力（係止強度）が更に高まることになる。
【００３３】
また、本実施形態のコネクタ１１では、スペーサ１５が本係止位置へ移動される際、メス端子１３に設けられた係合突起８３に、スペーサ１５の押圧用当接部８１が当接することとなるが、押圧用当接部８１に形成された徐々に接近する誘い込みテーパ８５によって、押圧用当接部８１によるメス端子１３への押圧付勢がスムースに行われる。
【００３４】
従って、本実施形態に係るコネクタ１１によれば、メス端子１３のガタつきや端子抜けを確実に防止することができる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３５】
１１…コネクタ
１３…メス端子（端子）
１５…スペーサ
１７…ハウジング
２７…端子収容室
２９…前方ストッパ部
３３…一側面
３５…スペーサ挿入口
５７…導体圧着部
８１…押圧用当接部
８３…係合突起
８５…誘い込みテーパ
【図１】
2014107234.tif 000003
【図２】
2014107234.tif 000004
【図３】
2014107234.tif 000005
【図４】
2014107234.tif 000006
【図５】
2014107234.tif 000007
【図６】
2014107234.tif 000008
【図７】
2014107234.tif 000009